(57)【特許請求の範囲】
【請求項１】
離間して設けられた１対のプーリと、
前記１対のプーリ間に掛け回されて、一方のプーリの回転を他方のプーリへ伝達するケーブルと、
少なくとも一方のプーリに設けられ、前記ケーブルの張力を調整する張力調整機構と、
を備えたコントロールケーブル装置において、
前記張力調整機構は、
前記ケーブルを、当該張力調整機構が設けられたプーリのプーリ回転面に対して交差する方向に引っ張ることによって張力を調整しており、
前記プーリの外周に形成され、前記ケーブルが掛け回される外周溝と、
一端が前記外周溝に開口し、他端が、前記張力調整機構が設けられたプーリのプーリ回転面に開口しているケーブル配置通路と、
を有し、
前記ケーブル配置通路は、前記プーリ内に形成されており、前記ケーブル配置通路内には、前記ケーブルが配置されており、
前記張力調整機構は、前記プーリに設けられた中空のノブと、前記中空のノブ内に配置された前記ケーブルの端部を固定する固定部と、
前記中空のノブ内に配置され、前記張力調整機構が設けられたプーリのプーリ回転面に対して離間する方向に前記固定部を付勢するバネと、
からなり、
前記中空のノブは、前記張力調整機構が設けられたプーリのプーリ回転面に対して直交する方向に延びており、前記ノブが、前記一方のプーリの回転軸と同軸上に配置されている
ことを特徴とするコントロールケーブル装置。
【請求項２】
離間して設けられた１対のプーリと、
前記１対のプーリ間に掛け回されて、一方のプーリの回転を他方のプーリへ伝達するケーブルと、
少なくとも一方のプーリに設けられ、前記ケーブルの張力を調整する張力調整機構と、
を備えたコントロールケーブル装置において、
前記張力調整機構は、
前記ケーブルを、当該張力調整機構が設けられたプーリのプーリ回転面に対して交差する方向に引っ張ることによって張力を調整しており、
前記プーリの外周に形成され、前記ケーブルが掛け回される外周溝と、
一端が前記外周溝に開口し、他端が、前記張力調整機構が設けられたプーリのプーリ回転面に開口しているケーブル配置通路と、
を有し、
前記ケーブル配置通路は、前記プーリ内に形成されており、前記ケーブル配置通路内には、前記ケーブルが配置されており、
前記張力調整機構は、前記プーリに設けられた中空のノブと、前記中空のノブ内に配置された前記ケーブルの端部を固定する固定部と、
前記中空のノブ内に配置され、前記張力調整機構が設けられたプーリのプーリ回転面に対して離間する方向に前記固定部を付勢するバネと、
からなり、
前記中空のノブは、前記張力調整機構が設けられたプーリのプーリ回転面に対して直交する方向に延びており、前記ノブが、前記一方のプーリの回転軸と非同軸上に配置されている
ことを特徴とするコントロールケーブル装置。
【発明の詳細な説明】
【技術分野】
【０００１】
本発明は、ケーブルによって一方のプーリの回転が他方のプーリへ伝達されるコントロールケーブル装置に関する。
【背景技術】
【０００２】
従来から、ケーブルが掛け回された１対のプーリを具備するコントロールケーブル装置が知られている。このようなコントロールケーブル装置に使用されているケーブルは、一般的に撚線から形成されているため、長時間使用することによってケーブルが伸びてしまい、いわゆる遊びが発生してプーリが直ちに追従しなくなるという問題がある。
【０００３】
かかる問題を解決すべく、例えば特許文献１には、駆動用プーリに設けられ当該プーリの外周部に開口するスロットと、コントロールケーブルのうち前記スロットの開口付近に位置する部分に取付けられ前記開口を通して前記スロット内に収容される固定具と、前記固定具を前記スロット内に押し込む方向に付勢する圧縮コイルばね（付勢手段）とを備えるコントロールケーブル装置が開示されている。
【０００４】
かかる構成は、コントロールケーブルが伸長すると、その分、圧縮コイルばねにより固定具がスロット内に押し込まれ、コントロールケーブルの実質的な長さが短くなり、コントロールケーブルと両プーリとの間に遊びが生じることが抑制される。
【０００５】
また、特許文献２には、ウインドレギュレータのキャリアプレートとして、ラチェットプーリを本体の表面側に押圧付勢すると共に、インナーケーブルの巻き取り側に回転付勢するねじりコイルばね（付勢手段）を備え、本体の表面の軸を囲む部位に第１ラチェット歯列が形成され、前記ラチェットプーリに前記第１ラチェット歯列と噛み合う第２ラチェット歯列が形成されると共に、ラチェットプーリのインナーケーブル巻き取り方向がラチェットの滑り方向とされている装置が開示されている。
【０００６】
かかる構成は、インナーケーブルに伸びが生じると、ねじりコイルばねの回転付勢力が、インナーケーブルの張力に基づく反対向きのトルク、ラチェット歯列の歯面を乗り越えるのに要する力、及び摩擦抵抗などを上回り、一歯分だけ噛み合いが進み、それにより下降用インナーケーブルがラチェットプーリに巻き取られ、伸びが吸収されてケーブルの張力が回復する。
【先行技術文献】
【特許文献】
【０００７】
【特許文献１】特開２００４−２１０１８８号公報
【特許文献２】特開２００８−１４１０４号公報
【発明の概要】
【発明が解決しようとする課題】
【０００８】
しかしながら、上記特許文献１に開示されているコントロールケーブル装置にあっては、スロットがプーリの内部に設けられると共に、プーリとケーブルとの間の領域内に固定具と圧縮コイルばねとが配置されているため、ケーブルの張力調整範囲はプーリの寸法に制限されてしまう。したがってケーブルが長くプーリが小さい構造の場合には、構造上、遊びの抑制が十分に達成されないという問題がある。さらに、ケーブルの張力を調整する部位がプーリの内部に存在するため、張力調整のためのメンテナンス作業が煩雑となる問題がある。
【０００９】
また、上記特許文献２に開示されているウインドレギュレータのキャリアプレートにあっては、ラチェット歯列の段差間に相当する長さの遊びがケーブルに生じるまではケーブルの張力調整機能が発動しないという問題がある。一方、これを解決すべく、ラチェット歯列の段差間を小さくしようとすると、製品の精度が高く要求されることとなって製造工程の複雑化やコストの高騰を招いてしまう。
【００１０】
そこで本発明は、ケーブルの張力の張力調整を長く設定することができると共に、簡素な構造であるコントロールケーブル装置を提供することを目的とする。
【課題を解決するための手段】
【００１１】
本発明は、離間して設けられた１対のプーリと、前記１対のプーリ間に掛け回されて、一方のプーリの回転を他方のプーリへ伝達するケーブルと、少なくとも一方のプーリに設けられ、前記ケーブルの張力を調整する張力調整機構と、を備えたコントロールケーブル装置において、前記張力調整機構は、前記ケーブルを、当該張力調整機構が設けられたプーリのプーリ回転面に対して交差する方向に引っ張ることによって張力を調整しており、前記プーリの外周に形成され、前記ケーブルが掛け回される外周溝と、一端が前記外周溝に開口し、他端が、前記張力調整機構が設けられたプーリのプーリ回転面に開口しているケーブル配置通路と、を有し、前記ケーブル配置通路は、前記プーリ内に形成されており、前記ケーブル配置通路内には、前記ケーブルが配置されており、前記張力調整機構は、前記プーリに設けられた中空のノブと、前記中空のノブ内に配置された前記ケーブルの端部を固定する固定部と、前記中空のノブ内に配置され、前記張力調整機構が設けられたプーリのプーリ回転面に対して離間する方向に前記固定部を付勢するバネと、からなり、前記中空のノブは、前記張力調整機構が設けられたプーリのプーリ回転面に対して直交する方向に延びており、前記ノブが、前記一方のプーリの回転軸と同軸上に配置されていることを特徴とする。また、本発明は、離間して設けられた１対のプーリと、前記１対のプーリ間に掛け回されて、一方のプーリの回転を他方のプーリへ伝達するケーブルと、少なくとも一方のプーリに設けられ、前記ケーブルの張力を調整する張力調整機構と、を備えたコントロールケーブル装置において、前記張力調整機構は、前記ケーブルを、当該張力調整機構が設けられたプーリのプーリ回転面に対して交差する方向に引っ張ることによって張力を調整しており、前記プーリの外周に形成され、前記ケーブルが掛け回される外周溝と、一端が前記外周溝に開口し、他端が、前記張力調整機構が設けられたプーリのプーリ回転面に開口しているケーブル配置通路と、を有し、前記ケーブル配置通路は、前記プーリ内に形成されており、前記ケーブル配置通路内には、前記ケーブルが配置されており、前記張力調整機構は、前記プーリに設けられた中空のノブと、前記中空のノブ内に配置された前記ケーブルの端部を固定する固定部と、前記中空のノブ内に配置され、前記張力調整機構が設けられたプーリのプーリ回転面に対して離間する方向に前記固定部を付勢するバネと、からなり、前記中空のノブは、前記張力調整機構が設けられたプーリのプーリ回転面に対して直交する方向に延びており、前記ノブが、前記一方のプーリの回転軸と非同軸上に配置されていることを特徴とする。
【００１２】
かかる構成にあっては、前記張力調整機構のケーブルを引っ張る方向が前記プーリのプーリ回転面に対して交差する方向であるため、プーリの大きさに制約を受けることなく、ケーブルの張力の調整範囲を長く設定することができる。
【００１３】
また、上述のように本発明は、前記プーリの外周に形成され、前記ケーブルが掛け回される外周溝と、一端が前記外周溝に開口し、他端が、前記張力調整機構が設けられたプーリのプーリ回転面に開口しているケーブル配置通路と、を有し、前記ケーブル配置通路は、前記プーリ内に形成されており、前記ケーブル配置通路内には、前記ケーブルが配置されていることを含む。
【００１４】
かかる構成にあっては、前記外周溝から前記張力調整機構まで無駄なく短い距離で前記ケーブルを配置することが可能となり、前記コントロールケーブル装置がより一層コンパクトな構造となる。
【００１５】
さらに、上述のように本発明は、前記張力調整機構は、前記プーリに設けられた中空のノブと、前記中空のノブ内に配置された前記ケーブルの端部を固定する固定部と、前記中空のノブ内に配置され、前記張力調整機構が設けられたプーリのプーリ回転面に対して離間する方向に前記固定部を付勢するバネと、からなることを含む。
【００１６】
かかる構成にあっては、前記バネによって、前記固定部を前記プーリのプーリ回転面から離間する方向に付勢することにより、前記ケーブルに張力を効率良く付与することができる。
【００１７】
またさらに、上述のように本発明は、前記中空のノブは、前記張力調整機構が設けられたプーリのプーリ回転面に対して直交する方向に延びていることを含む。
【００１８】
かかる構成にあっては、前記ノブを、プーリを回転させる操作部として用いることができる。
【発明の効果】
【００１９】
本発明のコントロールケーブル装置にあっては、プーリの大きさに制約を受けることなく、ケーブルの張力の調整範囲を長く設定することができる効果がある。また、前記張力調整機構は簡素な構造であるため、張力調整のためのメンテナンス作業も簡便となる効果がある。
【図面の簡単な説明】
【００２０】
【図１】実施例１にかかるコントロールケーブル装置の一部切欠斜視図である。
【図２】実施例１にかかるコントロールケーブル装置の部分縦断面図であり、（ａ）はケーブル伸長前の状態を示し、（ｂ）はケーブル伸長後の状態を示している。
【図３】実施例２にかかるコントロールケーブル装置の部分縦断面図であり、（ａ）はケーブル伸長前の状態を示し、（ｂ）はケーブル伸長後の状態を示している。
【図４】実施例３にかかるコントロールケーブル装置の斜視図である。
【図５】実施例４にかかるコントロールケーブル装置の拡大縦断面図である。
【図６】実施例５にかかるコントロールケーブル装置の拡大縦断面図である。
【図７】実施例６にかかるコントロールケーブル装置の一部切欠斜視図である。
【図８】実施例７にかかるコントロールケーブル装置の一部切欠斜視図である。
【発明を実施するための形態】
【００２１】
以下、本発明のコントロールケーブル装置を具体化した実施例を詳細に説明する。なお、本発明は、下記に示す実施例に限定されることはなく、適宜設計変更が可能である。
【００２２】
〔実施例１〕
図１に示すように、コントロールケーブル装置１Ａは、主動側の第一プーリ１０と、第一プーリ１０の回転に従って従動する従動側の第二プーリ２０とを備えている。また、前記第一プーリ１０と、前記第二プーリ２０との間には、第一ケーブル３１及び第二ケーブル３２が掛け回されており、第一ケーブル３１及び第二ケーブル３２を介して、第一プーリ１０の回転が前記第二プーリ２０へ伝達される。
【００２３】
なお、前記第一ケーブル３１及び第二ケーブル３２は、例えば金属製のロープで構成されることが好ましい。また、前記第一プーリ１０及び前記第二プーリ２０の間には、アウター（図示省略）が配置されており、かかるアウター内に前記第一ケーブル３１及び前記第二ケーブル３２が摺動可能に配置されている。
【００２４】
また、前記第一プーリ１０の外周には、かかる外周を一周する外周溝１１が形成されており、前記外周溝１１に前記第一ケーブル３１及び前記第二ケーブル３２が掛け回されている。また、前記第一プーリ１０の中心には、回転軸１４が装着された軸孔１３が貫通状に設けられている。
【００２５】
さらに、図２に示すように前記第一プーリ１０の内部には、一端が前記外周溝１１に開口し、他端が第一プーリ１０の表側の回転面１５に開口しているケーブル配置通路４１が形成されている。
【００２６】
一方、図１に示すように、前記第二プーリ２０の外周には、前記第一ケーブル３１及び前記第二ケーブル３２が掛け回される外周溝２１が形成されている。そして外周溝２１には、第一固定部２２が形成されており、前記第一ケーブル３１の一方の端部及び前記第二ケーブル３２の一方の端部が前記第一固定部２２に固定されている。また、第二プーリ２０の中心には、回転軸２４が装着された軸孔２３が貫通状に設けられている。
【００２７】
また、図２に示すように、前記第一ケーブル３１及び前記第二ケーブル３２は、それぞれ前記第一プーリ１０の外周溝１１に掛け回されて前記ケーブル配置通路４１内に挿入されている。そして、前記第一ケーブル３１の他方の端部及び前記第二ケーブル３２の他方の端部が、円柱部材からなる第二固定部４２にそれぞれ固定されている。
【００２８】
さらに、前記第一プーリ１０の表側の回転面１５と、前記第二固定部４２との間には、圧縮状態のコイルバネ４３が配設されており、前記コイルバネ４３によって、第二固定部４２が回転面１５から離間する方向に付勢されている。
【００２９】
さらに、前記回転面１５には、中空部材で構成されたノブ４５が設けられている。さらに詳述すると、前記ノブ４５は、前記回転面１５に対して直交する方向に延設され、内部に前記コイルバネ４３が配置されている。
【００３０】
なお、前記ノブ４５と、前記ノブ４５内に配置された第二固定部４２と、前記コイルバネ４３と、によって張力調整機構４０が構成されている。かかる構成にあっては、図２（ａ）に示すように、第一ケーブル３１と第二ケーブル３２とが張力調整機構４０によって引っ張られることで適正な張力が付与されている。
【００３１】
そして、長期の使用によって前記第一ケーブル３１及び前記第二ケーブル３２が伸長した際には、図２（ｂ）に示すように、前記第二固定部４２が前記コイルバネ４３の付勢力によって前記回転面１５から離間する方向に徐々に移動し、前記第一ケーブル３１及び前記第二ケーブル３２が適正に引っ張られ、各ケーブル３１，３２の張力が一定に保持される。
【００３２】
なお、本実施例における張力調整機構４０は、前記第一ケーブル３１及び前記第二ケーブル３２を前記第一プーリ１０の回転面１５に直交する方向に引っ張るものであり、第一プーリ１０の大きさに制約を受けることなく張力の調整範囲を長く設定することが可能である。
【００３３】
さらに、前記張力調整機構４０は、第一プーリ１０の回転軸１４に干渉することなく配置することが可能である。また、張力調整機構４０は、第一プーリ１０において外部に露出しているため、張力を調整するためのメンテナンス作業が容易である。
【００３４】
また、前記ノブ４５は、前記第一プーリ１０を回転させる操作部として用いることができる。
【００３５】
なお、張力調整機構４０に使用されるコイルバネ４３は、板バネや皿バネ等の他の形態のバネが使用されても勿論よいが、コイルバネ４３を用いることにより効率良く各ケーブル３１，３２を引っ張って張力を調整することができる。
【００３６】
なお、前記ケーブル配置通路４１は、図２に示すような形態に限定されることはなく、例えば前記外周溝１１と前記回転面１５とを最短距離で結ぶように形成されていても構わない。
【００３７】
〔実施例２〕
実施例２のコントロールケーブル装置１Ｂを図３に従って説明する。なお、実施例１と同様の構成を有するものは同じ符号を付し、説明を省略する。
【００３８】
前記コントロールケーブル装置１Ｂの張力調整機構５０は、図３（ａ）に示すように、前記第一ケーブル３１及び前記第二ケーブル３２の他方の端部を固定する第二固定部４２と、前記第一プーリ１０の回転面１５に対して離間する方向に前記第二固定部４２を付勢する弾性体５３と、を備えている。
【００３９】
なお、前記弾性体５３は、ゴム等の材料で構成することができ、圧縮状態で前記回転面１５と前記第二固定部４２との間に配設されている。
【００４０】
そして、図３（ｂ）に示すように、長期の使用によって前記第一ケーブル３１及び前記第二ケーブル３２が伸長した際には、前記第二固定部４２が前記弾性体５３の付勢力によって前記回転面１５から離間する方向に移動し、各ケーブル３１，３２の張力が一定に保持される。
【００４１】
前記張力調整機構５０にあっても、第一プーリ１０の大きさに制約を受けることなく張力の調整範囲を長く設定することが可能である。
【００４２】
また、張力調整機構５０が第一プーリ１０の外部に露出しているため、各ケーブル３１，３２の張力の調整のためのメンテナンス作業が容易である。
【００４３】
〔実施例３〕
実施例３のコントロールケーブル装置１Ｃを図４に従って説明する。なお、実施例１，２と同様の構成を有するものは同じ符号を付し、説明を省略する。
【００４４】
前記コントロールケーブル装置１Ｃの張力調整機構６０は、図４に示すように、コイルバネ４３が外部に露出している。このように、ノブが形成されていない張力調整機構６０であっても、第一プーリ１０の大きさに制約を受けることなく各ケーブル３１，３２の張力の調整範囲を長く設定することが可能である。
【００４５】
〔実施例４〕
実施例４のコントロールケーブル装置１Ｄを図５に従って説明する。なお、実施例１〜３と同様の構成を有するものは同じ符号を付し、説明を省略する。
【００４６】
前記コントロールケーブル装置１Ｄの張力調整機構７０にあっては、図５に示すように、第一プーリ１０の回転面１５に対して直交するノブ４５が、回転軸１４と同軸上に配置されている。
【００４７】
かかる構成は、前記第一プーリ１０を回転させる操作部として前記ノブ４５を用いる際に、前記ノブ４５に回転力を付与することで第一プーリ１０に直接回転力を付与することが可能となる点で望ましい構成である。
【００４８】
〔実施例５〕
実施例５のコントロールケーブル装置１Ｅを図６に従って説明する。なお、実施例１〜４と同様の構成を有するものは同じ符号を付し、説明を省略する。
【００４９】
前記コントロールケーブル装置１Ｅの張力調整機構８０にあっては、図６に示すように、第一プーリ１０の回転面１５に、中空部材で構成されたノブ５５が設けられている。さらに詳述すると、前記ノブ５５の基端は、前記回転面１５の端部に配置され、前記ノブ５５の先端が前記回転面１５の中心側を向くように前記ノブ５５が前記回転面１５に対して傾斜して設けられている。そして、前記ノブ５５内に、コイルバネ４３と第二固定部４２とが配置されている。
【００５０】
また、前記第一プーリ１０における回転面１５において前記ノブ５５の内部に対向する位置には、第一プーリ１０の外縁に向かって下方傾斜する傾斜案内通路５１が形成されている。そして、外周溝１１内の第一ケーブル３１及び第二ケーブル３２が、前記傾斜案内通路５１の案内作用によって前記ノブ５５内に屈折することなく案内され、各ケーブル３１，３２の張力が前記コイルバネ４３の付勢力によって一定に保持されている。
【００５１】
前記張力調整機構８０は、前記第一ケーブル３１及び前記第二ケーブル３２を前記第一プーリ１０の回転面１５に対して斜めに交差する方向に引っ張るものであり、第一プーリ１０の大きさに制約を受けることなく張力の調整範囲を長く設定することが可能である。
【００５２】
なお、かかる実施例のように、第一プーリ１０内に第一ケーブル３１及び第二ケーブル３２を配置することなく、第一ケーブル３１及び第二ケーブル３２を適正に引っ張ることができるが、第一ケーブル３１及び第二ケーブル３２を無駄なく短い距離で配置する場合には、第一プーリ１０内にケーブル配置通路４１を設けることが望ましい。
【００５３】
〔実施例６〕
実施例６のコントロールケーブル装置１Ｆを図７に従って説明する。なお、実施例１〜５と同様の構成を有するものは同じ符号を付し、説明を省略する。
【００５４】
前記コントロールケーブル装置１Ｆにあっては、図７に示すように、第一プーリ１０に加えて、従動側の第二プーリ２０にも張力調整機構４０が配設されている。そして、前記第一プーリ１０の張力調整機構４０と前記第二プーリ２０の張力調整機構４０とで、第一ケーブル３１及び第二ケーブル３２に張力を付与している。
【００５５】
かかる構成とすることにより、簡素な構造で、より安定して第一ケーブル３１及び第二ケーブル３２の張力を一定に保持でき、また第一ケーブル３１及び第二ケーブル３２の張力の調整範囲を長く設定することができる。
〔実施例７〕
実施例７のコントロールケーブル装置１Ｇを図８に従って説明する。なお、実施例１〜６と同様の構成を有するものは同じ符号を付し、説明を省略する。
【００５６】
前記コントロールケーブル装置１Ｇにあっては、図８に示すように、第一プーリ１１０に形成される外周溝１１１と、第二プーリ１２０に形成される外周溝１２１とが、螺旋状に形成されている。このように、外周溝１１１，１２１が、第一プーリ１１０及び第二プーリ１２０の外周面を複数周回して形成される構成であってもよい。
【００５７】
上記した実施例１〜７において、各部位の寸法形状は適宜自由に選択可能である。また、各部位を構成する部材の材料も特に限定されない。
【００５８】
また、前記第一ケーブル３１と前記第二ケーブル３２とは別体である必要はなく、前記第二プーリ２０，１２０の第一固定部２２に一端が固定された単線のケーブルであっても構わない。
【００５９】
なお、張力調整機構４０，５０，６０、７０，８０にあって、各ケーブル３１，３２を引っ張る方向は、前記回転面１５に対して少なくとも交差する方向であればよいが、より好ましいのは前記回転面１５に対して直交する方向である。
【符号の説明】
【００６０】
１Ａ〜１Ｇ                    コントロールケーブル装置
１０，１１０                  第一プーリ
１１，２１，１１１，１２１    外周溝
１５                          回転面（プーリ回転面）
２０，１２０                  第二プーリ
３１                          第一ケーブル
３２                          第二ケーブル
４０，５０，６０，７０，８０  張力調整機構
４１                          ケーブル配置通路
４３                          コイルバネ
４５，５５                    ノブ
【図１】
0006408429.tif 000002
【図２】
0006408429.tif 000003
【図３】
0006408429.tif 000004
【図４】
0006408429.tif 000005
【図５】
0006408429.tif 000006
【図６】
0006408429.tif 000007
【図７】
0006408429.tif 000008
【図８】
0006408429.tif 000009